(57)【要約】【課題】  引戸を採用する化粧室を複数並設した場合でも、車椅子使用者も利用し易いように、室の入口の十分な幅を確保することができ、しかも、引戸を閉めた際に騒音を発生させる不具合を解消できる建具構造を提供する。【解決手段】  化粧室１０を２つ組にして隣り合わせて並設し、この隣り合う組の化粧室１０，１０の入口１１，１１を全開にした際には、それぞれの引戸４０，４０が、前記組の化粧室１０，１０同士を区画する隔壁パネル１６の位置で重なるべくガイドレール３０，３０を延設するとともに、この重なった２つの引戸４０，４０を前後に挟むように表板２０と裏板２１をそれぞれ配置した構成としている。【選択図】図１
2020090803.tif 000002
【特許請求の範囲】
【請求項１】
化粧室の入口の上方に配設されたガイドレールによって引戸を吊り下げ支持し、前記ガイドレールに沿って前記引戸を移動させることにより前記入口を開閉するようにした建具構造において、
前記化粧室を２つ組として隣り合わせて並設し、
この隣り合う組の化粧室の入口を全開にした際には、それぞれの前記引戸が、前記組の化粧室同士を区画する隔壁パネルの位置で重なるべく前記ガイドレールを延設するとともに、この重なった２つの前記引戸を前後に挟むように表板と裏板をそれぞれ配置したことを特徴とする建具構造。
【請求項２】
前記組の化粧室を複数組並設したことを特徴とする請求項１に記載の建具構造。
【請求項３】
前記ガイドレールのそれぞれを、前記隔壁パネル側に向かって下方へ傾斜させて前記表板と前記裏板とによって挟まれる空間まで延設し、もって、２つの前記引戸が自重により前記隔壁パネル側に移動するように常時付勢されていることを特徴とする請求項１または２に記載の建具構造。
【請求項４】
前記ガイドレールの終端にストッパ機構を配設するとともに、前記ガイドレールの終端近傍に静音機構を配設し、もって、前記入口を開いた際に、前記引戸が前記ガイドレールの終端に到達する際に、前記静音機構により、前記引戸の揺れを防止しつつ前記引戸を静かに前記ストッパ機構に当てるようにしたことを特徴とする請求項３に記載の建具構造。
【請求項５】
前記引戸を支持する前記ガイドレールおよび前記静音機構を面対称に配置したことを特徴とする請求項４に記載の建具構造。
【請求項６】
前記引戸の底面部に前記引戸の幅方向に延びる溝部を設けるとともに、重なった状態にある２つの前記引戸の下方の床面上に凸状部材を配設し、前記凸状部材を前記引戸の溝部に嵌合させて、もって、前記引戸の前後方向の動きが前記凸状部材によって規制されることを特徴とする請求項１〜５のうちいずれか１項に記載の建具構造。
【請求項７】
前記引戸を全開した際に一時的にその全開状態を保持する開成保持機構を設けたことを特徴とする請求項１〜６のうちいずれか１項に記載の建具構造。
【請求項８】
前記裏板の下部に、前記室内に開口する点検口を設けたことを特徴とする請求項１〜７のうちいずれか１項に記載の建具構造。
【請求項９】
前記引戸の戸先に、該引戸の上下方向に延び、水平断面上該引戸の幅方向に深い溝部を形成し、該溝部に、弾性を有する帯状部材を配設したことを特徴とする請求項１〜８のうちいずれか１項に記載の建具構造。
【発明の詳細な説明】
【技術分野】
【０００１】
本発明は、建具構造に関し、詳しくは、引戸を引いて化粧室の入口を開閉するようにした建具構造に関する。
【背景技術】
【０００２】
従来、例えばトイレなどの化粧室のように、その入口の上方にガイドレールを配設し、該ガイドレールで引戸を吊り下げ支持し、前記ガイドレールに沿って前記引戸を移動させることにより前記入口を開閉するようにした建具構造がある。引戸を採用した化粧室は、例えば、車椅子を使用する者等にとって、いわゆる押し引きの扉に比べて、入口幅も広く採ることができ、化粧室内部にドアの開閉に要するスペースも不要になる分、化粧室利用者が所持物を置くなど、自由に活用できるスペースを広くとることができ、スペース活用上有利であり、車椅子で出入りするバリアフリーの化粧室等に適している。
【０００３】
引戸を用いてトイレの入口を開閉するようにした従来の建具構造に関するものとしては、例えば、特許文献１に記載されたようなものがある。同文献によれば、トイレの一側面を引戸で構成し、使用者が引戸から手を離しても引戸を開いたままに保持できるようしたものが開示されている。
【先行技術文献】
【特許文献】
【０００４】
【特許文献１】特開２０１４−１０１６５６号公報
【発明の概要】
【発明が解決しようとする課題】
【０００５】
ところで、例えば公衆トイレのように、特許文献１に記載のような一側面を引戸で構成した化粧室を横に複数並べて設置したい場合、それぞれの化粧室の引戸の開閉に要する幅の分、すなわち、ほぼ引戸２枚分の入口幅を確保する必要があり、限られたスペースにできるだけ多く設置したい公衆用の化粧室等の場合には不利である。
【０００６】
さらに、特許文献１に記載のようなトイレを横に複数並べて設置した場合、利用者が引戸を勢いよく開いたりすると、引戸が勢いよくストッパに当たり、大きな騒音を発生させてしまう不具合がある。このような騒音の発生は、隣のトイレの利用者に不快感を与えるものである。
【０００７】
かかる問題を解決するために、本発明は、引戸を採用する化粧室を複数並べて設置した場合でも、車椅子使用者も利用し易いように、該化粧室の入口の十分な幅を確保することができ、しかも、引戸を勢いよく開いた際に騒音を発生させる不具合を解消できる建具構造を提供することを目的とする。
【課題を解決するための手段】
【０００８】
上記の目的を達成するために、本発明では、化粧室の入口の上方にガイドレールを配設し、該ガイドレールによって引戸を吊り下げ支持し、前記ガイドレールに沿って前記引戸を移動させることにより前記入口を開閉するようにした建具構造において、前記化粧室を２つ組として隣り合わせて並設し、この隣り合う組の化粧室の入口を全開にした際には、それぞれの前記引戸が、前記組の化粧室同士を区画する隔壁パネルの位置で重なるべく前記ガイドレールを延設するとともに、この重なった２つの前記引戸を前後に挟むように表板と裏板をそれぞれ配置した構成としている。
【０００９】
さらに、本発明では、前記組の化粧室を複数組並設した構成としている。
【００１０】
また、本発明では、前記ガイドレールのそれぞれを、前記隔壁パネル側に向かって下方へ傾斜させて前記表板と前記裏板とによって挟まれる空間まで延設し、もって、２つ前記引戸が自重により前記隔壁パネル側に移動するように常時付勢されている構成としている。
【００１１】
さらに、本発明では、前記ガイドレールの終端にストッパ機構を配設するとともに、前記ガイドレールの終端近傍に静音機構を配設し、もって、前記入口を開いた際に、前記引戸が前記ガイドレールの終端に到達する際に、前記静音機構により、前記引戸の揺れを防止しつつ前記引戸を静かに前記ストッパ機構に当てるようにした構成としている。
【００１２】
さらにまた、本発明では、前記引戸を支持する前記ガイドレールおよび前記静音機構を面対称に配置した構成としている。
【００１３】
さらに、本発明では、前記引戸の底面部に前記引戸の幅方向に延びる溝部を設けるとともに、重なった状態にある２つの前記引戸の下方の床面上に凸状部材を配設し、前記凸状部材を前記引戸の溝部に嵌合させ、もって、前記引戸の前後方向の動きが前記凸状部材によって規制される構成としている。
【００１４】
また、本発明では、前記引戸を全開した際に一時的にその全開状態を保持する開成保持機構を設けた構成としている。
【００１５】
さらに、本発明では、前記裏板の下部に、前記室内に開口する点検口を設けた構成としている。
【００１６】
さらにまた、本発明では、前記引戸の戸先に、該引戸の上下方向に延び、水平断面上該引戸の幅方向に深い溝部を形成し、該溝部に、弾性を有する帯状部材を配設した構成としている。
【発明の効果】
【００１７】
本発明によれば、引戸を採用する化粧室を複数並べて設置した場合でも、化粧室の入口の十分な幅を確保することができ、車椅子使用者も利用し易く、しかも、引戸を勢いよく開いた際に騒音を発生させてしまう不具合を解消できる建具構造を提供することができる。
【図面の簡単な説明】
【００１８】
【図１】本発明に係る建具構造の一実施形態を示すもので、とくに複数組の化粧室を隣接した様子を示す正面図である。
【図２】本発明に係る建具構造の一実施形態を示すもので、とくに複数組の化粧室を隣接した様子を示す一部断面側面図である。
【図３】本発明に係る建具構造の一実施形態のうちの1組の化粧室を拡大して示す正面図である。
【図４】本発明に係る建具構造の一実施形態のうちの１組の化粧室を拡大して側方からみた断面図である。
【図５】本発明に係る建具構造の一実施形態のうちの１組の化粧室を示す平面図である。
【図６】本発明に係る建具構造の一実施形態の要部を示すもので、そのガイドレール付近を拡大して示す正面図である。
【図７】本発明に係る建具構造の一実施形態のうちの１組の化粧室を示すもので、引戸および表板を取り除いて、そのガイドレール等が取り付けられている様子を示す正面図である。
【図８】本発明に係る建具構造の一実施形態の要部を示すもので、ガイドレールおよび静音機構と、表板および裏板との位置関係を示す断面図である。
【図９】本発明に係る建具構造の一実施形態の要部を示すもので、床に設置した凸状部材が引戸の溝部に嵌合している様子を示すもので、図３におけるＡ−Ａ線断面図である。
【図１０】本発明に係る建具構造の一実施形態の要部を示すもので、引戸の戸先に配設した帯状の弾性部材を配設した様子を示す図３におけるＢ−Ｂ断面図である。
【発明を実施するための形態】
【００１９】
以下、図１〜１０図に基づいて、本発明に係る建具構造の一実施形態について説明する。本実施形態は、トイレなどの化粧室に本発明を適用したものである。本実施形態では、図１に示すように、化粧室１０，１０を２つ組みにして隣り合わせて並設するものを複数組設置したものである。本実施形態では、図３〜図８に示すように、それぞれの化粧室１０，１０の入口１１，１１の上方に配設した上方パネル１２，１２にガイドレール３０，３０を配設し、入口１１，１１を開閉する引戸４０，４０をガイドレール３０，３０に吊り下げ支持させ、ガイドレール３０，３０に沿って引戸４０，４０を引いて移動することにより入口１１，１１を開閉するようにしている。
【００２０】
詳しく説明すると、それぞれの組の化粧室１０，１０は、建物のコーナー部の側壁面１３ａ、後壁面１３ｂ、天井面１４、床面１５に囲まれた空間に設置されている。隣り合う組の化粧室１０，１０は、これらの室を隔てる隔壁パネル１６によって区画され、一方の化粧室１０は、側壁面１３ａと後壁面１３ｂと隔壁パネル１６と天井面１４と床面１５によって囲まれて形成され、他方の化粧室１０は、隔壁パネル１６に対して側壁面１３ａと反対側に設置した側壁パネル１７ａと後壁面１３ｂと隔壁パネル１６と天井面１４と床面１５とによって囲まれて形成されている。
【００２１】
組みの化粧室１０，１０のそれぞれは、その前方が開放されて入口１１，１１が形成されている。入口１１，１１の上方に位置された上方パネル１２，１２は、それぞれ前パネル１８と後パネル１９とによって構成され、前パネル１８と後パネル１９は、図示しないＬ字金具等を用いて隔壁パネル１６や側壁パネル１７ａに固定されている。
【００２２】
ここで、両方の引戸４０，４０を引いて入口１１，１１を全開状態にすると、両引戸４０，４０は、隔壁パネル１６がある組の化粧室１０，１０の中央位置のところで重なって位置することができるようにガイドレール３０，３０がこの中央位置を越えて延設されている。さらに、この重なった状態にある２つの引戸４０，４０の前後に、これらを挟むように表板２０と裏板２１がそれぞれ配置されている。表板２０と裏板２１の間隔は、それらの上部間に差し渡された上板２２（図８参照）によって規定されている。
【００２３】
組みの化粧室１０，１０の引戸４０，４０を支えるガイドレール３０，３０は、隔壁パネル１６側に向かって下方へ傾斜されている（図３、図７参照）。例えば、重なった際に後側に位置する引戸４０、すなわち、本実施形態では図３および図５において右側の化粧室１０の引戸４０を支えるガイドレール３０は、右側が高く、左側が低く位置され、裏板２１と右側の後パネル１９に取り付けられている。また、重なった際に前側に位置する引戸４０、すなわち、本実施形態では図３および図５において左側の化粧室１０の引戸４０を支える手前側のガイドレール３０は、右側が低く、左側が高く位置され、表板２０と左側の前パネル１８に取り付けられている。
【００２４】
図４は、ガイドレール３０とストッパ機構５０と静音機構６０の配置関係を示したもので、見易さの観点から、前記した右側の化粧室１０の引戸４０を支える後ろ側のガイドレール３０周りを示している。なお、反対側の左側の化粧室１０の引戸４０を支えるガイドレール３０周りの構成については、後述するように、右側の化粧室１０のガイドレール３０周りの構成と面対象である以外は同じ構成であるので、その説明は省略する。
【００２５】
引戸４０，４０は、それぞれ上端にガイドレール３０上を走行する滑車４１，４１を転動自在に備えている（図３、図６参照）。引戸４０，４０は、その自重により、傾斜されているガイドレール３０，３０に沿って、常時、隔壁パネル１６側に向けて下降すべく、すなわち、開く側へ付勢されている。
【００２６】
ガイドレール３０の終端（隔壁パネル１６側の、図６において左側の低く位置する端）には、ストッパ機構５０が配設されている。ストッパ機構５０は、弾力性を有するゴム等によって形成された弾性ブロック５１を有する構成となっている。このストッパ機構５０により、引戸４０が全開にされる際には、ガイドレール３０上を走行する滑車４１または該滑車を支える部材が当たって、引戸４０が停止される。なお、ストッパ機構５０は、ゴム等によって形成された弾性ブロック５１に限らず、板ばねを略Ｕ字形状に折り曲げて形成したもの等でも良く、要は、引戸４０を全開にした際に引戸４０を停止させることができる構造であれば、周知のいかなる構成としても良い。
【００２７】
さらに、本実施形態では、静音機構６０を備えている。静音機構６０は、ラック６１と、該ラックに噛み合わされるギヤ６２と、該ギヤを支持し、該ギヤの回転適宜制御し、引戸４０の振動を適宜吸収する静音制御装置６３とを備える。ラック１６は、ガイドレール３０にその終端近くに例えばねじ等を用いて固定設置されている。また、静音制御装置６３は、引戸４０の戸尻４０ａ側の上端に、滑車４１とともに並設されている。
【００２８】
静音機構６０によれば、引戸４０を全開にすべく大きく引いた際には、ギヤ６２がラック６１に噛み合い、ギヤ６２の回転が減速されて引戸４０の移動速度が低下されるとともに、引戸４０の振動がギヤ６２を介して静音制御装置６３によって吸収される。これにより、引戸４０が静かにストッパ機構５０の弾性ブロック５１に当たり、しかも、騒音の発生の原因となる引戸４０自体の振動もコントロールされるので、騒音の発生が大きく低減される。
【００２９】
本実施形態の静音機構６０は、引戸４０がストッパ機構５０の弾性ブロック５１に当たるときに引戸４０が振動するのを抑えて騒音の発生を防止するものであるが、これに限らず、この騒音をかき消すために心地よい音を出す装置としても良い。さらに、これに加えて、引戸４０を支える滑車４１の回転を制御する機構を兼ね備えても勿論良い。静音機構６０は、引戸４０が全開にされた際に発生される衝撃音を和らげられることができるように構成されれば、前記した構成のものに限らない。静音制御装置６３は、従来より周知の技術によって簡単に構成できるものであり、いずれの構成のものでも良い。
【００３０】
さらに、本実施形態では、引戸４０を全開した際に一時的にその状態を保持する開成保持機構７０を備える。開成保持機構７０は、係止ローラ７１と板ばねの移動規制片７２とから構成されている。係止ローラ７１は、右側のトイレ室１０の引戸４０の場合、引戸４０の上端に、ガイドレール３０を走行する滑車４１の近くに水平に回転自在に配設されている。移動規制片７２は、ガイドレール３０の始端（端壁パネル１７ｂ側端、図６において右側の高く位置する端）側の後パネル１９に片持ち支持固定されている。移動規制片７２は、先端に下方に湾曲する規制部７２ａを備え、該移動規制片の弾性により上下動可能に支持されている。左側のトイレ室１０の引戸４０の場合も同様であるので、その説明を省略する。
【００３１】
移動規制片７２は、引戸４０を閉めるとき、係止ローラ７１が移動規制片７２の規制部７２ａを該移動規制片７２の弾性に抗して上方に押し上げて、該係止ローラがこの移動部７２を乗り越えたところで、引戸４０は、入口１１を閉じ、その状態が開成保持機構７０によって保持される。また、この状態から引戸４０を開く場合には、そのまま引戸４０を隔壁１６側へ引くとことにより、移動規制片７２の規制部７２ａが該移動規制片７２の弾性に抗して上方に押し上げられて、該係止ローラがこの移動部７２を乗り越えることができ、そのまま、自重による力も加わり、スムーズに引戸４０を開くことができる。
【００３２】
また、本実施形態では、図８に示すように、隣り合う組みの化粧室１０，１０の２つの引戸４０，４０を支持する２つのガイドレール３０，３０および静音機構６０，６０は、面対称に配置されている。これにより、２つの引戸４０，４０を収容する表板２０と裏板２１との間隔は、可能な限り最小に設定することができ、スペースの利用を図る観点で設計上有効である。
【００３３】
さらに、本実施形態では、図７に示すように、隣り合うトイレ室１０，１０の２つの引戸４０，４０のそれぞれの戸先４０ｂ側の底面部に該引戸の幅方向に延びる溝部４２を設けるとともに、重なった状態にある２つの引戸４０，４０の下方の床面１５上にガイドローラ（凸状部材）４３、４３を配設し、それぞれのガイドローラ４３をそれぞれ溝部４２に嵌合させている。これにより、引戸４０，４０の前後方向の動きがガイドローラ４３，４３によって規制されるので、引戸４０，４０の開け閉めに際して、引戸４０，４０が前後にばたつくこともない。なお、いずれのガイドローラ（凸状部材）４３も、引戸４０の移動ストロークのほぼ真ん中あたりに設置されるのが好ましい。このような位置であれば、引戸４０の開閉のいずれの状態においても均等に、ガイドローラ４３による引戸４０のばたつき防止を良好に図ることができるからである。
【００３４】
さらにまた、本実施形態では、図８に示すように、引戸４０，４０の戸先４０ｂの端面４４と化粧室１０の裏面４５に開口する溝部４６が形成されている。溝部４６は、その水平断面が引戸４０の幅方向に大きく伸び、引戸４０の上下方向に延設されている。溝部４６には、引戸４０の上下方向に伸び、内部に中空を有するとともに弾性を有する帯状部材４７が配設されている。この帯状部材４７は、その水平断面上、奥に足部４８が形成され、これに対応して、溝部４６の深部の角部に小溝４９が形成されている。帯状部材４７は、その足部４８を溝部４３の小溝４９に押し込むことにより、引戸４０の戸先４０ｂ側の端面４４に固定される。
【００３５】
なお、図１において、４０ｃは引戸４０のハンドル、４０ｄは引戸４０の錠、４０ｅは裏板２１の下部に設けた点検口であり、図１３において、４０ｆは隣り合う組の化粧室の一方の化粧室１０の引戸４０をその他方の化粧室１０に隠すための覆いであり、この覆い４０ｆは、表板２０および裏板２１の引戸４０，４０の戸尻４０ａ側に固定されている。ここで、点検口４０ｅは、化粧室１０内に開口するもので、該トイレ室利用者が落とした小物が表板２０と裏板２１との間に入り込んだ際に、その小物を取り出すため、裏板２１から該点検口４０ｅの蓋を取り外して表板２０と裏板２１と間の空間を覗けるようにしたものである。
【００３６】
本実施形態では、引戸４０の戸先４０ｂに配設した帯状部材４７と溝部４６を水平断面上引戸４０の幅方向に深く形成したので、引戸４０が閉められた先、帯状部材４７が圧縮されて溝部４６内に押し込まれるときの、伸縮ストロークを長く設定できる。これにより、帯状部材４７による、例えば引戸４０が閉められたときに発生する騒音や、指を挟んだりしたときの保護機能を大きく向上させることができる。なお、帯状部材４７の硬度は６０〜８０度であることが好ましく、このように設定することにより、該帯状部材の騒音防止機能及び保護機能を最適化することができる。
【００３７】
本実施形態では、化粧室１０，１０を２つ組みにして隣り合わせて並設し、この組の化粧室１０，１０の入口１１，１１を開いた際には、入口１１，１１の引戸４０，４０が、隣り合う組の化粧室１０，１０を区画する隔壁１６の位置に重なって位置するようにし、この重なった２つの引戸４０，４０を前後に挟むように表板２０と裏板２１をそれぞれ配置した構成としたことにより、引戸を採用する化粧室を１組あるいは複数組並設したい場合、車椅子使用者も利用し易いように、室の入口の十分な幅を確保することができ、狭い設置スペースに１組あるいは複数組の化粧室を効率良く設置することができる。
【００３８】
以上説明したように、本発明では、引戸を採用する化粧室を１組あるいは複数組並べて設置した場合でも、室の入口の十分な幅を確保することができ、車椅子使用者も利用し易い建具構造を提供することができる。
【００３９】
しかも、本発明では、引戸を支えるガイドレールの終端近くに静音機構を備えたことにより、引戸を閉めた際に発生する騒音問題を解消することができる。これにより、引戸を採用する化粧室を複数並設した場合でも、隣の室の利用者に不快感を与えることなく、快適な化粧室を提供することが可能である。
【００４０】
加えて、本発明によれば、組の化粧室が引戸であるため、例えば、大きな荷物を化粧室内に持ち込むスペースが確保でき、ドアの開閉の邪魔にならない。しかも、女性が化粧室を利用する際に、スカートなどの裾がドアにかかってドアの開閉の邪魔になることもない。さらに、高齢者にとっては、小さい力でも引戸の開閉を楽に行うことができる。また、引戸４０が傾斜したガイドレール３０に沿って自重により開くように構成しているので、該引戸の開閉も素早く行うことができる。
【００４１】
さらに、本発明によれば、化粧室を囲むパネル（隔壁パネル１６、側壁パネル１７ａ、端壁パネル１７ｂ、前パネル１８、後パネル１９など）を、建物の構造材に直接固定する必要はなく、壁または天井パネルに図示しないＬ字金具等を用いて固定することができ、設置工事が容易である。
【００４２】
本発明では、隣り合う室として化粧室を採用するのが好適であるが、これに限らず、隣り合うように設置したい室であって、入口が引戸によって開閉される室であれば、本発明の目的を達成できる限り、どのような室にも本発明を適用することができる。
【００４３】
また、並設する室は、１組の化粧室でも良いが、さらに多くの組の化粧室を並設するようにすれば、本発明による前記した効果をさらに良好に得ることができる。
【００４４】
以上説明した各実施形態は、本発明の理解のために例示されたものであり、本発明は、これら実施形態に限定されず、特許請求の範囲の記載によって定義される。また、本発明の技術思想から離れるものでない限り、特許請求の範囲に記載の構成と均等であるものも本発明の保護の範囲に含まれるものである。
【産業上の利用可能性】
【００４５】
本発明によれば、引戸を採用する化粧室を１組または複数組並設した場合でも、化粧室の入口の十分な幅を確保することができ、車椅子使用者も利用し易く、引戸を閉めた際に騒音を発生させてしまうような不具合がない建具構造を提供することができ、経済効果も大である。
【符号の説明】
【００４６】
１０  化粧室
１１  入口
１２  上方パネル
１３ａ  前壁面
１３ｂ  後壁面
１４  天井面
１５  床面
１６  隔壁パネル
１７ａ  側壁パネル
１７ｂ  端壁パネル
１８  前パネル
１９  後パネル
２０  表板
２１  裏板
３０  ガイドレール
４０  引戸
４０ａ  戸尻
４０ｂ  戸先
４０ｃ  ハンドル
４０ｄ  錠
４０ｅ  点検口
４０ｆ  覆い
４１  滑車
４２  溝部
４３  ガイドローラ（凸状部材）
４４  端面
４５  裏面
４６  溝部
４７  帯状部材
４８  足部
４９  小溝
５０  ストッパ機構
５１  弾性ブロック
６０  静音機構
６１  ラック
６２  ギヤ
７０  開成保持機構
７１  係止ローラ
７２  移動規制片
７２ａ  規制部
【図１】
2020090803.tif 000003
【図２】
2020090803.tif 000004
【図３】
2020090803.tif 000005
【図４】
2020090803.tif 000006
【図５】
2020090803.tif 000007
【図６】
2020090803.tif 000008
【図７】
2020090803.tif 000009
【図８】
2020090803.tif 000010
【図９】
2020090803.tif 000011
【図１０】
2020090803.tif 000012